(57)【要約】【課題】本発明では、トラクタに施肥機と耕耘ロータリを安全に装着出来るようにすることを課題とする。【解決手段】上下に係合部５８，５９を有する第一取付ヒッチ６０をトラクタ車体１後部の左右ロアリンク３，３と中央のトップリンク４で構成した３点リンク機構５に取り付け、該第一取付ヒッチ６０の上下係合部５８，５９に粒繰出ホッパ９の支持フレーム８を係合し、さらに支持フレーム８の後部に上下係合部６１，６２を有する第二取付ヒッチ６３を設け、該第二取付ヒッチ６３の上下係合部６１，６２に耕耘畝立部Ａを係合して取り付けたトラクタの施肥耕耘畝立装置とする。また、粒繰出ホッパ９の支持フレーム８に設ける第一取付ヒッチ６０を取り外し可能にしたトラクタの施肥耕耘畝立装置とする。【選択図】図１
2016029924.tif 000002
【特許請求の範囲】
【請求項１】
上下に係合部（５８），（５９）を有する第一取付ヒッチ（６０）をトラクタ車体（１）後部の左右ロアリンク（３），（３）と中央のトップリンク（４）で構成した３点リンク機構（５）に取り付け、該第一取付ヒッチ（６０）の上下係合部（５８），（５９）に粒繰出ホッパ（９）の支持フレーム（８）を係合し、さらに支持フレーム（８）の後部に上下係合部（６１），（６２）を有する第二取付ヒッチ（６３）を設け、該第二取付ヒッチ（６３）の上下係合部（６１），（６２）に耕耘畝立部（Ａ）を係合して取り付けてなるトラクタの施肥耕耘畝立装置。
【請求項２】
前記粒繰出ホッパ（９）の支持フレーム（８）に設ける第一取付ヒッチ（６０）を取り外し可能にしてなる請求項１に記載のトラクタの施肥耕耘畝立装置。
【請求項３】
前記支持フレーム（８）に粒繰出ホッパ（９）を高く配置し、耕耘畝立部（Ａ）の一部を粒繰出ホッパ（９）の下部に入り込ませる状態で連結することを特徴とする請求項１に記載のトラクタの施肥耕耘畝立装置。
【発明の詳細な説明】
【技術分野】
【０００１】
本発明は、トラクタに施肥機と耕耘畝立機を装着したトラクタの施肥耕耘畝立装置に関する。
【背景技術】
【０００２】
トラクタは農業用の走行車両で、機体の後部に施肥機やロータリ等種々の対地作業機を装着して使用する。
例えば、特許文献１には、トラクタに施肥機を着脱する構成が記載されている。施肥機の機体左側に車輪付きのキャスタースタンドを取り付け、機体右側に取手スタンドを取り付けて、取手スタンド側を持ち上げて機体を傾けた状態でトラクタ側の取付ブラケットに施肥機の取付ヒンジを装着するようにしている。
【０００３】
また、特許文献２には、トラクタに施肥機とロータリを装着した状態が示されているが、施肥機やロータリの着脱については記載されていない。
【先行技術文献】
【特許文献】
【０００４】
【特許文献１】特開平１０−２４８３３８号公報
【特許文献２】特開２０１３−９６３１号公報
【発明の概要】
【発明が解決しようとする課題】
【０００５】
トラクタに装着する施肥機や耕耘ロータリ等の対地作業機は重く、作業者一人で持ち上げてトラクタ後部の三点リンクに取り付けることが困難で、通常は二人の作業者で取付を行うが、前記特許文献１の如く、左側のキャスタースタンドで支持した機体を右側の取手スタンドを持ち上げて施肥機を傾けてトラクタのフロントバンパーに設ける取付ブラケットに取付ヒンジを引掛けた後に水平に戻して使用状態にすることも考えられているが、不安定な状態で着脱作業を行うことになって、危険である。
【０００６】
そこで、本発明では、トラクタに施肥機と耕耘ロータリを安全に装着出来るようにすることを課題とする。
【課題を解決するための手段】
【０００７】
上記本発明の課題は、次の技術手段により解決される。
請求項１に記載の発明は、上下に係合部５８，５９を有する第一取付ヒッチ６０をトラクタ車体１後部の左右ロアリンク３，３と中央のトップリンク４で構成した３点リンク機構５に取り付け、該第一取付ヒッチ６０の上下係合部５８，５９に粒繰出ホッパ９の支持フレーム８を係合し、さらに支持フレーム８の後部に上下係合部６１，６２を有する第二取付ヒッチ６３を設け、該第二取付ヒッチ６３の上下係合部６１，６２に耕耘畝立部Ａを係合して取り付けてなるトラクタの施肥耕耘畝立装置とする。
【０００８】
請求項２に記載の発明は、前記粒繰出ホッパ９の支持フレーム８に設ける第一取付ヒッチ６０を取り外し可能にしてなる請求項１に記載のトラクタの施肥耕耘畝立装置とする。
請求項３に記載の発明は、前記支持フレーム８に粒繰出ホッパ９を高く配置し耕耘畝立部Ａの一部を粒繰出ホッパ９の下部に入り込ませる状態で連結することを特徴とする請求項１に記載のトラクタの施肥耕耘畝立装置とする。
【発明の効果】
【０００９】
請求項１に記載の発明で、トラクタ車体１の後部に設ける３点リンク機構５に比較的軽量な第一取付ヒッチ６０を作業者が一人で取り付け、台車に搭載した粒繰出ホッパ９の支持フレーム８を後方から第一取付ヒッチ６０の上下係合部５８，５９に係合して取り付け、さらに、支持フレーム８に取り付けた第二取付ヒッチ６３に台車に搭載した耕耘ロータリ６を係合して取り付けることで、トラクタの施肥耕耘畝立装置が一人の作業者で構成出来る。
【００１０】
請求項２に記載の発明で、請求項１の効果に加えて、第二取付ヒッチ６３を取り除けば、耕耘ロータリ６が無いトラクタの施肥装置とすることが出来る。
請求項３に記載の発明で、請求項１の効果に加えて、粒繰出ホッパ９に接近して耕耘畝立部Ａを組み付けることが出来て、全長の短いトラクタの施肥耕耘畝立装置を構成出来て、小回りが可能になる。
【図面の簡単な説明】
【００１１】
【図１】畝立施肥装置の側面図である。
【図２】畝立施肥装置の背面図である。
【図３】施肥装置の組立途中を示す畝立施肥装置の側面図である。
【図４】耕耘畝立部の組立途中を示す畝立施肥装置の側面図である。
【図５】耕耘ロータリ部の背面図である。
【図６】耕耘ロータリ部の側面図である。
【図７】散布樋組の斜視図である。
【発明を実施するための形態】
【００１２】
以下、本発明の実施形態を図面に示す実施例を参照しながら説明する。なお、本明細書においてトラクタの前進方向に向かって左右方向をそれぞれ左、右といい、前進方向を前、後進方向を後という。
【００１３】
トラクタ車体１の後部にリフトアーム２に連結する昇降ロッド１３で連結して昇降されるロアリンク３とトップリンク４からなる３点リンク機構５を構成し、このロアリンク３とトップリンク４の後端に第一取付ヒッチ６０を上下のピンで枢着し、この第一取付ヒッチ６０の上下係合部５９，５９に粒繰出ホッパ９を取り付けた支持フレーム８を係合して連結し、昇降ロッド１３のブラケット３８と支持フレーム８の伸縮ロッド３９をピンで連結している。
【００１４】
第一取付ヒッチ６０の上下係合部６１，６２は、固定フックと回動フックで構成し、支持フレーム８側の連結軸を咬み込んで固定する。上下の回動フックは固定レバー６４で回動操作する。
【００１５】
支持フレーム８は、上部に左右一対の粒繰出ホッパ９，９を固定した施肥装置Ｂで、下端部に前記第一取付ヒッチ６０と同一構成の第二取付ヒッチ６３を固定している。
第二取付ヒッチ６３の上下係合部６１，６２には、耕耘ロータリ６側の連結ピンを係合して一体に連結する。６５は上下係合部６１，６２の固定レバーである。
【００１６】
耕耘ロータリ６の後部には畝成形器７を設けて耕耘畝立部Ａを構成している。
１０，１０は車体１の後輪、１１はフェンダー、１２はキャビンである。
トラクタ車体１への施肥装置Ｂの取り付けは、図３に示す如く、３点リンク機構５に第一取付ヒッチ６０を取り付け、架台６６に載置した施肥装置Ｂの支持フレーム８を第一取付ヒッチ６０の後方から近づけて上下係合部５８，５９に係合して連結し、昇降ロッド１３のブラケット３８と支持フレーム８の伸縮ロッド３９を連結する。さらに、図４の如く、耕耘畝立部Ａを施肥装置Ｂの第二取付ヒッチ６３に後方から近づけて上下係合部６１，６２に係合して連結する。耕耘畝立部Ａの入力軸３６は入力延長軸３７を介してトラクタ車体１側のＰＴＯ軸３５に連結する。なお、第一取付ヒッチ６０に耕耘畝立部Ａを直接連結する場合には、入力延長軸３７が必要ない。
【００１７】
前記耕耘ロータリ６は所謂センタドライブ形態で、左右の耕耘軸１５，１５を伝動駆動する伝動ケース１６を耕耘幅の中央部に垂下状態に設ける構成である。
図５と図６に示に示す如く、左右の耕耘軸１５，１５は、伝動ケース１６に近い第１の耕耘軸１５ａ，この第１の耕耘軸１５ａの先端側異径部に着脱自在に嵌合する主体の第２耕耘爪１５ｂからなり、伝動ケース１６から左右に突出する耕耘出力軸１７，１７に前記第１耕耘軸１５ａをスプライン嵌合して動力伝動可能に構成し、前記異径嵌合部を介して第１耕耘軸１５ａの回転動力を第２耕耘軸１５ｂに伝達する構成とし、第２耕耘軸１５ｂの軸方向の抜け止めは長尺のボルト部材１８で行なう構成である。
【００１８】
第１耕耘軸１５ａの周りには爪ホルダ１９を溶接で一体化して取り付け、第２耕耘軸１５ｂには、爪ホルダ２０を適宜個数、位相をずらせて配設した短ボス体２１，２１を外嵌してスライド自在に設け、第２耕耘軸１５ｂの軸方向にスライドさせて所定の位置で締付部２２，２２によって固定する構成である。これら爪ホルダ１９，２０には耕耘爪２３，２３を着脱自在に装着している。
【００１９】
前記第２耕耘軸１５ｂには、左右間隔離れて一対の耕耘ディスク２５，２５と該一対の耕耘ディスク２５，２５間に配置する耕耘爪２３を設けた長ボス体（筒状体）２６をスライド自在に挿通し、締付具２７，２７で固定できる構成としている。詳述すると、所定間隔（例えば２００ｍｍ）離して長ボス体（筒状体）２６の周面に回転軸１５に直交する平面に対して僅かに捻って複数の取付板２８ａ〜２８ｄ（図例では４枚）を同位相でありながら半径方向には等間隔に配置し、かつこれら取付板２８ａ〜２８ｄに夫々螺旋羽根形態の分割螺旋羽根２５ａ〜２５ｄの４枚で耕耘ディスク２５を装着する。
【００２０】
上記長ボス体（筒状部材）２６には所定間隔（例えば２００ｍｍ）離して上記構成の螺旋羽根２５ａ〜２５ｄからなる耕耘ディスク２５を左右に対向する関係に設けている。この一対の耕耘ディスク２５，２５の回転は土壌を耕耘する機能と螺旋状に形成されるため耕耘土壌を対向する側即ち左右耕耘ディスク２５，２５の間隔内側に寄せる機能を備えている。即ち、前記分割螺旋羽根２５ａ〜２５ｄの打ち込み作用で土壌を各対抗する耕耘ディスク２５，２５間中央側に跳ねだすものである。
【００２１】
また、長ボス体（筒状部材）２６の中間部には複数の爪ホルダ２９，２９を配設し、該爪ホルダ２９，２９に前記耕耘爪２３，２３を着脱自在に装着している。これら耕耘爪２３，２３は先端側を湾曲させた所謂ナタ爪形態であって、この湾曲先端側が互いに内向いて対向しあう状態に設けられる。したがって、一対の左右耕耘ディスク２５，２５の間隔部内で耕耘爪２３，２３により、間隔内側に土寄せ機能を具備する。上記左右耕耘ディスク２５，２５の土寄せ機能と相俟って耕耘土壌をこれら左右耕耘ディスク２５，２５の間隔部中央側に寄せながら耕耘される。
【００２２】
上記のように構成された耕耘ロータリ６は、第１、第２耕耘軸１５ａ，１５ｂの回転によって耕耘爪２３，２３…が順次土中に打ち込まれ土壌を耕耘する。また、対向するディスク２５，２５も同様に回転し、左右に対向する関係となって、螺旋状に配設された螺旋羽根２５ａ〜２５ｄ回転は土壌をこの対向する間隔部内に向けて移動させながら耕耘する。
【００２３】
第２耕耘軸１５ｂに一対のディスク２５，２５を配設する構成としたが、伝動ケース１６を挟んで左右に位置する第１耕耘軸１５ａ，１５ａの夫々に一対として対向しあうディスク２５，２５の取付板２８Ｃａ〜２８Ｃｄを直接的に設けて、２畦成形に対応させている。
【００２４】
又、この耕耘ロータリ６の上側を覆う耕耘カバー３０上に位置する耕耘フレーム３１から後方にわたってヒッチ３２を設け、このヒッチ３２にツールバー３３を取付ける。このツールバー３３には、畝成形器７、或いはステップや尾輪等を配置できる。
【００２５】
畝成形器７は、片培土板４０，４０の一対を耕耘幅にわたって複数取付け（図例では２対配置して、２条畝成形形態としている）、このツールバー３３に沿って横移動可能にして、畝幅調節及び成形畝の間隔を調整することができる。前記施肥装置Ｂは、耕耘フレーム３１、及びヒッチ３２等の上方に支持フレーム８を介して支持されるツールバー４２に沿って配置し、横方向に取付位置を移動調節可能に構成している。
【００２６】
ここにおいて、耕耘畝立部Ａの構成は、トラクタ車体１の後方に耕耘ロータリ６とこの耕耘土壌を培土する畝成形器７を装着し、これら前部の耕耘ロータリ６の上方部で後部の畝成形器７の上方部で、左右両側位置には主に肥料を施用するために粒繰出ホッパ９，９から粉状物を繰出す繰出装置５１，５１を設けたものである。車体１の進行によって耕耘ロータリ６によって土壌面が耕耘されて、この耕耘土壌面を畝成形器７によって培土して畝成形する。この畝には、粉繰出ホッパ９から繰出す粉状肥料を土壌と攪拌しながら施用する。このような粉、粒状物の施用において、粉繰出ホッパ９を後部の畝成形器７上方の左右両側部に搭載して、粉状物（粉状肥料）の繰出流下施用を直下方向へ垂直状に行わせる。
【００２７】
粉状物（粉状肥料）を混合しながら畝立土壌面に施用する作業機形態にあっては、トラクタ車体１の後方に耕耘ロータリ６とこの耕耘土壌を受けて畝成形する畝成形器７を装着し、後部の畝成形器７の上方部で、左右両側位置には粉状物を繰出す粉繰出ホッパ９を設けた畝立施肥装置の構成とする。すなわち、車体１の進行によって耕耘ロータリ６によって土壌面が耕耘されて、この耕耘土壌面を畝成形器７によって培土して畝成形し、この畝面には、粉繰出ホッパ９から繰出す粉状物を施用するが、これら各ホッパ９を左右にずらせて配置しているため、各ホッパ９の容量を大きく出来て、粒状物の供給等の作業を行い易くする。
【００２８】
次に、上記実施例では、粉繰出ホッパ９から繰出される粉状物（粉状肥料）を流下案内するホース４７の粉供給口４７ａを筒状樋４８にて圃場に局所散布する構成としている。
前記各繰出ホッパ９，９は、平面視略方形状形態に設けられて、開閉可能の蓋５０を有する。各繰出ホッパ９，９の底部には、繰出ロールをモータで駆動して該ホッパ９，９の粉状物、又は粒状物を繰出す繰出装置５１，５１を設ける。各繰出装置５１には３個所ずつ繰出口５３，５３を設け、夫々に前記ホース４７，４７を連結し、これらホース４７，４７によって粉状物Ｐ（粉状肥料）は筒状樋４８，４８を介して圃場に散布される。
【００２９】
筒状樋４８は一対宛に設けられ左右繰出ホッパ９，９に接続するホース４７，４７の各先端を受ける構成である。
図７に示す如く、一対の筒状樋４８，４８は、耕耘ロータリ６の前側において、該耕耘ロータリ６のフレームから前下向きに延出するステー４９ａ，４９ａ…間に水平姿勢で横設された支持ロッド４９ｂによって支持される。
【００３０】
筒状樋４８からの粉状体Ｐ（粉状肥料）はその略下方に落下しこれら対向する左右耕耘ディスク２５，２５の間隔内に散布されるようになっており、その左右方向の調整は、支持ロッド４９ｂに対して筒状樋４８，４８を貫通させたブラケット４８ａ，４８ａのロック用ボルトナット５５による。前記筒状樋４８，４８の上部はホース下端が挿通し易いように拡開状に形成されている。
【００３１】
上例の作用について説明する。
前記繰出ホッパ９，９から繰り出される粉状物（粉状肥料）は、前記繰出手段Ｈを介して局所散布される。前記耕耘ロータリ６によって耕耘された土壌面は畝成形器７により畝立て成形されるが、この耕耘ロータリ６による耕耘、即ち耕耘爪２３，２３…の耕耘作用によって土壌が耕耘されながら、対向する耕耘ディスク２５，２５間においては、繰出手段Ｈから局所散布される粉状肥料の全部が攪拌される。また対向するディスク２５，２５の外側においては耕耘爪２３，２３…の耕耘作用が行われる。この後後続する畝成形器７によって所定条（図例では２条）の畝Ｒが成形される。
【００３２】
特定の肥料においては、繰出手段Ｈによって耕耘ディスク２５，２５間の局所に分布させることにより、低コストの作業を実現できる。
前記繰出手段Ｈからの粉状物（粉状肥料）は成形される畝のうち対向する耕耘ディスク２５，２５間で攪拌され、畝の断面のうち該耕耘ディスク２５，２５間に分布する。
【００３３】
前記実施例では所謂２畝仕様について説明したが、３畝仕様のほか４畝以上についても同様に実施でき、支持ロッド４９ｂに沿わせて拡散用樋４６と一対の筒状樋４８，４８からなる散布樋組を個別に左右移動して適切な配置に調節できる。
【００３４】
以上では、第一取付ヒッチ６０に施肥装置Ｂを装着し第二取付ヒッチ６３に耕耘畝立部Ａを装着してトラクタの畝立施肥装置として説明したが、第一取付ヒッチ６０に施肥装置Ｂのみを装着して施肥装置として使用したり、第一取付ヒッチ６０に畝立施肥装置のみを装着して畝立施肥装置として使用したりすることも出来る。また、第二取付ヒッチ６３に取り付ける作業機は、耕耘畝立部Ａ以外の除草機等であっても良い。
【００３５】
また、第一取付ヒッチ６０と第二取付ヒッチ６３は、同一構成と説明したが、別構成であっても良い。
【符号の説明】
【００３６】
１  トラクタ車体
３  ロアリンク
４  トップリンク
５  ３点リンク機構
８  支持フレーム
９  粒繰出ホッパ
５８  上係合部
５９  下係合部
６０  第一取付ヒッチ
６１  上係合部
６２  下係合部
６３  第二取付ヒッチ
Ａ  耕耘畝立部
【図１】
2016029924.tif 000003
【図２】
2016029924.tif 000004
【図３】
2016029924.tif 000005
【図４】
2016029924.tif 000006
【図５】
2016029924.tif 000007
【図６】
2016029924.tif 000008
【図７】
2016029924.tif 000009